【手続補正書】
【提出日】平成18年11月24日(2006.11.24)
【手続補正１】
【補正対象書類名】明細書
【補正対象項目名】特許請求の範囲
【補正方法】変更
【補正の内容】
【特許請求の範囲】
【請求項１】  シートを搬送するための共通搬送路と、
前記共通搬送路から分岐してシートを搬送する分岐路と、
前記共通搬送路から前記分岐路へ搬送路切替えのために共通搬送路形成位置から切替位置まで揺動自在な切替手段と、
前記切替手段を揺動させる動作手段と、
前記切替手段を前記切替位置に停止させる揺動ストッパーと、
前記揺動ストッパーに突き当たる前で前記切替手段の動作速度を減速するよう前記動作手段を制御する制御手段と、を有することを特徴とするシート搬送装置。
【請求項２】  前記分岐路と前記切替手段は複数個存在して、前記切替手段は各分岐路の入口に各々配置され、１つの動作手段によって揺動させられることを特徴とする、請求項１に記載のシート搬送装置。
【請求項３】  前記動作手段は、第１の弾性手段によって動作前の位置に復元する復元力が付与されており、且つ、第２の弾性手段を介して前記切替手段に動作力を伝達し、
前記制御手段は、前記動作手段が動作するときの動作速度を減速し、又、前記動作手段が前記第１の弾性手段によって復元するときの動作速度を減速することを特徴とする、請求項１に記載のシート搬送装置。
【請求項４】  前記動作手段は、ソレノイドと、前記ソレノイドの動きを前記切替手段に伝えるリンクと、を備え、前記第１の弾性手段は前記リンクを介して前記ソレノイドに作用し、前記第２の弾性手段は前記リンクと前記切替手段との間に介在し、
更に、
前記第１の弾性手段による復元力に抗して前記リンクを停止するリンクストッパーを備えることを特徴とする、請求項３に記載のシート搬送装置。
【請求項５】  前記リンクの動きを検知するセンサーを備え、
前記制御手段は、前記センサーの検知に基づいて前記切替手段の動作速度を減速するよう前記動作手段を制御することを特徴とする、請求項４に記載のシート搬送装置。
【請求項６】  請求項２のシート搬送装置と、
前記切替手段によって搬送路を切替えられて搬送されたシートを積載する複数のトレイと、を備えることを特徴とするソータ。
【請求項７】  請求項２のシート搬送装置と、
前記切替手段によって搬送路を切替えられて搬送されたシートを積載する複数のトレイと、を備えることを特徴とする画像形成装置。
【請求項８】  請求項３のシート搬送装置と、
前記切替手段によって搬送路を切替えられて搬送されたシートを積載する複数のトレイと、を備えることを特徴とする画像形成装置。
【請求項９】  シートを搬送するための共通搬送路と、
前記共通搬送路から分岐する複数の分岐路と、
シートを前記共通搬送路から前記分岐路へ案内する切替位置と、前記共通搬送路を通過させる共通搬送路形成位置とを選択すべく揺動可能な複数の切替手段と、
前記複数の切替手段を揺動させる１つの動作手段と、
前記動作手段と前記各切替手段とを連結する複数の弾性手段と、
下流側の前記分岐路までシートを送って分岐するために前記切替手段を揺動させるべく前記動作手段を動作するときには、上流側の前記分岐路でシートを分岐するときに比較して、動作力を強くするように制御する制御手段と、を備えることを特徴とするシート搬送装置。
【請求項１０】  前記切替手段を切替え位置で停止させる揺動ストッパーを備え、
前記制御手段は、前記揺動ストッパーに突き当たる前で前記切替手段の動作速度を減速するように前記動作手段を制御することを特徴とする、請求項９に記載のシート搬送装置。
【請求項１１】  前記動作手段は、第１の弾性手段によって動作前の位置に復元する復元力が付与されており、且つ、第２の弾性手段を介して前記切替手段に動作力を伝達し、
前記制御手段は、前記動作手段が動作するときの動作速度を減速し、又、前記動作手段が前記第１の弾性手段によって前記動作前の位置に復元するときの動作速度を減速することを特徴とする、請求項１０に記載のシート搬送装置。
【請求項１２】  前記動作手段は、ソレノイドと、前記ソレノイドの動きを前記切替手段に伝えるリンクと、を備え、前記第１の弾性手段は前記リンクを介して前記ソレノイドに作用し、前記第２の弾性手段は前記リンクと前記切替手段との間に介在し、
更に、
前記第１の弾性手段による復元力に抗して前記リンク停止するリンクストッパーを備えることを特徴とする、請求項１１に記載のシート搬送装置。
【請求項１３】  前記リンクの動きを検知するセンサーを備え、
前記制御手段は、前記センサーの検知に基づいて前記切替手段の動作速度を減速するよう前記動作手段を制御することを特徴とする、請求項１２に記載のシート搬送装置。
【請求項１４】  請求項１０のシート搬送装置と、
前記切替手段によって搬送路を切替えられて搬送されたシートを積載する複数のトレイと、を備えることを特徴とするソータ。
【請求項１５】  請求項１０のシート搬送装置と、
前記切替手段によって搬送路を切替えられて搬送されたシートを積載する複数のトレイと、を備えることを特徴とする画像形成装置。
【請求項１６】  シートを搬送するための共通搬送路と、
前記共通搬送路から分岐する複数の分岐路と、
前記共通搬送路から前記分岐路へシートを案内する切替位置とシートを通過させる共通搬送路形成位置とを選択すべく揺動可能な複数の切替手段と、
前記複数の切替手段を揺動させる１つの動作手段と、
前記動作手段と前記各切替手段とを連結する複数の弾性手段と、
前記切替手段を前記切替位置に停止させる揺動ストッパーと、
前記揺動ストッパーに突き当たる前で前記切替手段の動作速度を減速するように前記動作手段を制御する制御手段と、を備え、
且つ前記制御手段は、下流側の前記分岐路までシートを送って分岐するために前記切替手段を揺動させるべく前記動作手段を動作するときには、上流側の前記分岐路でシートを分岐するときに比較して、減速率を小さくするように制御することを特徴とするシート搬送装置。
【請求項１７】  前記制御手段は、
下流側の前記分岐路までシートを送って分岐するために前記切替手段を揺動させるべく前記動作手段を動作するときには、上流側の前記分岐路でシートを分岐するときに比較して、動作力を強くするように制御することを特徴とする、請求項１６に記載のシート搬送装置。
【請求項１８】  前記動作手段は、第１の弾性手段によって動作前の位置に復元する復元力が付与されており、且つ、第２の弾性手段を介して前記切替手段に動作力を伝達し、
前記制御手段は、前記動作手段が動作するとき動作速度を減速し、又、前記動作手段が前記第１の弾性手段によって復元するとき動作速度を減速することを特徴とする、請求項１６に記載のシート搬送装置。
【請求項１９】  前記動作手段は、ソレノイドと、前記ソレノイドの動きを前記切替手段に伝えるリンクと、を備え、前記第１の弾性手段は前記リンクを介して前記ソレノイドに作用し、前記第２の弾性手段は前記リンクと前記切替手段との間に介在し、
更に、
前記第１の弾性手段による復元力に抗して前記リンクを停止するリンクストッパーを備えることを特徴とする、請求項１８に記載のシート搬送装置。
【請求項２０】  前記リンクの動きをセンサーを備え、
前記制御手段は、前記センサーの検知に基づいて前記切替手段の動作速度を減速するよう前記動作手段を制御することを特徴とする、請求項１９に記載のシート搬送装置。
【請求項２１】  前記請求項１７のシート搬送装置と、
前記切替手段によって搬送路を切替えらえた複数のシートを分配する複数のトレイと、を備えることを特徴とするソータ。
【請求項２２】  シートを搬送するための共通搬送路と、
前記共通搬送路から分岐してシートを搬送する分岐路と、
前記共通搬送路から前記分岐路へ搬送路切替えのために共通搬送路形成位置から切替位置まで揺動自在な切替手段と、
前記切替手段を揺動させる動作手段と、
前記切替手段を前記切替位置に停止させる揺動ストッパーと、
前記揺動ストッパーに突き当たる前で前記切替手段の動作速度を減速するよう前記動作手段を制御する制御手段と、を有することを特徴とする、画像形成装置。
【請求項２３】  シートを搬送するための共通搬送路と、
前記共通搬送路から分岐する複数の分岐路と、
前記共通搬送路から前記分岐路へシートを案内する切替え位置とシートを通過させる共通搬送路形成位置とを選択すべく揺動可能な複数の切替手段と、
前記複数の切替手段を揺動させる１つの動作手段と、
前記動作手段と前記各切替手段とを連結する複数の弾性手段と、
下流側の前記分岐路までシートを送って分岐するために前記切替手段を揺動させるべく前記動作手段を動作するときには、上流側の前記分岐路でシートを分岐するときに比較して、動作力を強くするように制御する制御手段と、を備えることを特徴とする、画像形成装置。
【請求項２４】  シートを搬送するための共通搬送路と、
前記共通搬送路から分岐する複数の分岐路と、
前記共通搬送路から前記分岐路へシートを案内する切替え位置とシートを通過させる共通搬送路形成位置とを選択すべく揺動可能な複数の切替手段と、
前記複数の切替手段を揺動させる１つの動作手段と、
前記動作手段と前記各切替手段とを連結する複数の弾性手段と、
前記切替手段を前記切替位置に停止させる揺動ストッパーと、
前記揺動ストッパーに突き当たる前で前記の切替手段の動作速度を減速するように前記動作手段を制御する制御手段と、
を備え、
且つ前記制御手段は、下流側の前記分岐路までシートを送って分岐するために前記切替手段を揺動させるべく前記動作手段を動作するときには、上流側の前記分岐路でシートを分岐するときに比較して、減速率を小さくするように制御することを特徴とする、画像形成装置。
【手続補正２】
【補正対象書類名】明細書
【補正対象項目名】０００９
【補正方法】変更
【補正の内容】
【０００９】
上記目的を達成するための本発明の代表的な構成は、シートを搬送するための共通搬送路と、前記共通搬送路から分岐してシートを搬送する分岐路と、前記共通搬送路から前記分岐路へ搬送路切替えのために共通搬送路形成位置から切替位置まで揺動自在な切替手段と、前記切替手段を揺動させる動作手段と、前記切替手段を前記切替位置に停止させる揺動ストッパーと、前記揺動ストッパーに突き当たる前で前記切替手段の動作速度を減速するよう前記動作手段を制御する制御手段と、を有することを特徴とする。
【手続補正３】
【補正対象書類名】明細書
【補正対象項目名】００１０
【補正方法】変更
【補正の内容】
【００１０】
又、シートを搬送するための共通搬送路と、前記共通搬送路から分岐する複数の分岐路と、シートを前記共通搬送路から前記分岐路へ案内する切替位置と、前記共通搬送路を通過させる共通搬送路形成位置とを選択すべく揺動可能な複数の切替手段と、前記複数の切替手段を揺動させる１つの動作手段と、前記動作手段と前記各切替手段とを連結する複数の弾性手段と、下流側の上記分岐路までシートを送って分岐するために前記切替手段を揺動させるべく前記動作手段を動作するときには、上流側の前記分岐路でシートを分岐するときに比較して、動作力を強くするように制御する制御手段と、を備えることを特徴とする。
【手続補正４】
【補正対象書類名】明細書
【補正対象項目名】００１１
【補正方法】変更
【補正の内容】
【００１１】
又、シートを搬送するための共通搬送路と、前記共通搬送路から分岐する複数の分岐路と、前記共通搬送路から前記分岐路へシートを案内する切替え位置とシートを通過させる共通搬送路形成位置とを選択すべく揺動可能な複数の切替手段と、前記複数の切替手段を揺動させる１つの動作手段と、前記動作手段と前記各切替手段とを連結する複数の弾性手段と、前記切替手段を前記切替位置に停止させる揺動ストッパーと、前記揺動ストッパーに突き当たる前で前記切替手段の動作速度を減速するように前記動作手段を制御する制御手段と、を備え、且つ前記制御手段は、下流側の前記分岐路までシートを送って分岐するために前記切替手段を揺動させるべく前記動作手段を動作するときには、上流側の前記分岐路でシートを分岐するときに比較して、減速率を小さくするように制御することを特徴とする。
【手続補正５】
【補正対象書類名】明細書
【補正対象項目名】符号の説明
【補正方法】変更
【補正の内容】
【符号の説明】
３０  共通搬送路
３６、３７  ソレノイド
３８、３９  連結部材であるリンク
５０  フェイスダウントレイ
９０、９１  検知手段
８１〜８４  フラッパー